(57)【要約】【課題】１つの部品で操作スイッチの回り止めおよび締め付けナットの緩み止めの両方の作用をする操作スイッチの取付け装置を提供する。【解決手段】平板の中央部に操作スイッチ筒状部の挿通可能な挿通孔を設け、かつこの挿通孔の内縁にそれぞれ前記筒状部の縦溝および取付孔の切欠きに嵌合する突起を形成し、外縁部に平板面の一方側へ部分的に折り曲げられ、僅かに傾斜された外縁を有する押圧部を設けた座金を形成し、取付パネルの取付孔に挿入された操作スイッチの操作部本体の筒状部に前記座金を嵌め込み、かつこの座金の挿通孔の内縁の突起を前記筒状部の縦溝および前記取付パネルの取付孔の内縁の切欠きに嵌合したうえで、前記締付ナットを前記筒状部にねじ込んで前記座金の押圧部を取付パネルに当接して締め付け結合する。【選択図】図１
2008108537.tif 000002
【特許請求の範囲】
【請求項１】
捻回操作される操作部とこの操作部背面側に連設されたフランジ部および外周にネジの切られた筒状部とを備えた操作スイッチの操作部本体を、取付パネルの円形の取付孔にパネルの表面側から挿入し、前記取付パネルの裏面側から前記筒状部に締付ナットをねじ込み、操作スイッチの操作部本体を取付パネルに締め付け結合する操作スイッチの取付装置において、前記筒状部に軸方向に前記ネジを断ち切って形成された１個以上の縦溝と、前記取付パネルの取付孔の内縁に形成した１個以上の切欠と、平板状の座金とを設け、この座金には、外縁部を平板面の一方の面側へ傾斜させ、外縁部が中央部の平面より操作パネル側に突出した押圧部を設け、中心部に前記筒状部の挿通可能な挿通孔を設け、かつこの挿通孔の内縁にそれぞれ前記筒状部の縦溝および取付パネルの取付孔の切欠きと嵌合する突起を形成し、前記取付パネルの取付孔に挿入された操作部本体の筒状部に前記座金を嵌め込み、かつこの座金の挿通孔の内縁の突起を前記筒状部の縦溝および前記取付パネルの取付孔の内縁の切欠きに嵌合したうえで、前記締付ナットを前記筒状部にねじ込んで前記操作部本体を取付パネルに締め付け結合することを特徴とする操作スイッチの取付装置。
【請求項２】
前記座金を多角形の平板で形成し、この多角形の平板の角部を傾斜させて角部の先端部を押圧部としたことを特徴とする請求項１に記載の操作スイッチの取付装置。
【請求項３】
前記座金を円形の平板で形成し、この円形の平板の外周部を傾斜させて外周縁部を押圧部としたことを特徴とする請求項１に記載の操作スイッチの取付装置。
【発明の詳細な説明】
【技術分野】
【０００１】
この発明は、操作スイッチを制御盤のパネルの取付孔に回り止めして取り付けることのできる取付け装置に関する。
【背景技術】
【０００２】
この種の回り止め可能な操作スイッチの取付け装置としては、従来から特許文献１に示されるような装置が知られている。
【０００３】
図７ないし９にこの特許文献１に示された従来の操作スイッチの取付け装置を示す。この従来の装置において、操作スイッチの操作部本体１は、取付パネル１１に形成された円形の取付孔１１ａより直径の大きなフランジ２と、このフランジ２の背面に突設され、パネルの取付孔の直径より小さく外周にネジの切られた筒状部３とを備え、この筒状部３をパネル１１の表面側から取付孔１１ａに挿入し、パネル１１の背面側から筒状部３に締付ナット５をねじ込むことにより操作部本体１をパネル１１に固定するようにしている。筒状部３の先端には操作部本体１の操作に連動して開閉されるスイッチ部１０が結合されている。
【０００４】
パネル１１に取り付けられた操作部本体１を捻回操作したとき、この操作部本体１が回転するのを防止するために、筒状部３に軸線方向にネジを断ち切って１個以上の縦溝３ｃを設け、取付パネル１１の取付孔１１ａの内縁に１個以上の切欠き１１ｂを設けている。そして、前記筒状部３の挿入可能な挿通孔６ａを有する座金６を設け、この座金の挿通孔６ａの内縁に前記筒状部の縦溝に嵌合する突起６ｂと、取付パネル１１の取付孔１１ａの切欠き１１ｂに嵌合する突起６ｃを形成し（図８および図９参照）、この座金６を取付パネル１１と締付ナット５の間に挿入して、締付ナット５を筒状部３にネジ込んで、操作部本体１をパネル１１に締付け固定する。このように座金６を挿入することにより、座金６の突起６ｃが取付パネル１１の取付孔１１ａの切欠き１１ｂに嵌合して、この座金６と取付パネル１１との回り止めが行われ、座金６の突起６ｂが筒状部３の縦溝３ｃに嵌合して操作部本体１と座金６、したがって取付パネル１１との回り止めが行われる。
【特許文献１】実公平６−１２５７５号公報
【発明の開示】
【発明が解決しようとする課題】
【０００５】
前記の従来の取付け装置によれば、突起付きの座金の挿入によって取付パネルなどに取り付けられた操作スイッチの回り止めを行うことができるが、締付ナットに対する緩み止め機能がないため、振動の多い場所で長時間使用した場合、締付ナット５がこの振動等の外力によって緩みを生じ、操作スイッチの回り止め機能がなくなり、操作スイッチを捻回操作しても操作スイッチが取付孔内で回転し、操作できなくなることがある。
【０００６】
このため、振動の多い場所等で使用する場合は、締付ナットの緩み止め用にばね座金などの別部品を一緒に使用する必要があった。
【０００７】
この発明は、このような従来装置にかんがみて、操作スイッチの回り止めを行う部品が同時に締め付けナットの緩み止め機能を有するようにして、構成を簡単にした操作スイッチの取付け装置を提供することを課題とするものである。
【課題を解決するための手段】
【０００８】
このような課題を解決するため、この発明は、捻回操作される操作部とこの操作部背面側に連設されたフランジ部および外周にネジの切られた筒状部とを備えた操作スイッチの操作部本体を、取付パネルの円形の取付孔にパネルの表面側から挿入し、前記取付パネルの裏面側から前記筒状部に締付ナットをねじ込み、操作スイッチの操作部本体を取付パネルに締め付け結合する操作スイッチの取付装置において、前記筒状部に軸方向に前記ネジを断ち切って形成された１個以上の縦溝と、前記取付パネルの取付孔の内縁に形成した１個以上の切欠と、平板状の座金とを設け、この座金には、外縁部を平板面の一方の面側へ傾斜させて、中央部の平面より操作パネル側に突出させた外縁部により押圧部を設け、中心部に前記筒状部の挿通可能な挿通孔を設け、かつこの挿通孔の内縁にそれぞれ前記筒状部の縦溝および取付パネルの取付孔の切欠きと嵌合する突起を形成し、前記取付パネルの取付孔に挿入された操作部本体の筒状部に前記座金を嵌め込み、かつこの座金の挿通孔の内縁の突起を前記筒状部の縦溝および前記取付パネルの取付孔の内縁の切欠きに嵌合したうえで、前記締付ナットを前記筒状部にねじ込んで前記操作部本体を取付パネルに締め付け結合することを特徴とするものである。
【０００９】
この発明においては、前記座金を多角形の平板で形成し、この多角形の平板の角部を傾斜させて前出させた角部の先端部を押圧部とすることができる。そして、前記座金を円形の平板で形成し、この円形の平板の外周部を傾斜させて前出させた外縁部を押圧部とすることもできる。
【発明の効果】
【００１０】
この発明によれば、操作スイッチの操作部本体の取付けられた取付パネルと締付ナットとの間に挿入された座金に回り止め用の突起を設けるだけでなく、外周部に取付パネル側に僅かに傾斜させて、前出させた外縁部により押圧部を形成しているので、締付ナットにより座金の押圧部が取付パネルに押し付けられたとき押圧部が取付パネルに接触し、締付ナットによる締付力は、座金を形成する平板の弾性力を介して加えることができるので、この座金の弾性力の反力が締付ナットに加わることにより締付ナットは振動等の外力を受けても緩み難くなり、操作スイッチの締付け力を安定に保つことができる。したがって、この発明における座金は、１つの部品で操作スイッチの回り止めおよび締付ナットの緩み止めの両方の作用をするので、取り付け装置の部品点数が減り、装置の構成を簡単にすることができる。
【発明を実施するための最良の形態】
【００１１】
この発明の実施の形態を図に示す実施例について説明する。
【００１２】
図１ないし図５は、この発明の実施例を示すものである。図１は、操作スイッチの取付パネル１１への取付け過程での分解斜視図、図２は、この発明に使用する座金７の斜視図および平面図、図３は、操作スイッチの取付パネルへの取付け状態を示す斜視図、図４は、操作スイッチの取付け状態を示す平面図、図５は、図４におけるＡ部分を拡大して示す平面図であり、従来の装置と同一部材については同一符号を付して示す。
【００１３】
図１ないし図５において、１は、フランジ２および外周にネジを切った筒状部３を備えた捻回操作、押圧操作される操作スイッチの操作部本体である。この本体の筒状部３の先端には、操作部本体１の操作に連動して開閉動作するスイッチ部１０が結合されている。
【００１４】
取付パネル１１に設けられた円形の取付孔１１ａに、パネルの表面側から挿入される操作部本体の筒状部３には、外周にネジを断ち切って軸方向に縦溝が１個以上設けられ、この筒状部３の挿通される取付孔１１ａの内縁に切欠き１１ｂが１個以上設けられている。取付パネル１１の取付孔１１ａに挿通された操作部本体１の筒状部３には、パネル１１の裏面側から、操作スイッチの回り止めおよび締付ナットの緩み止めの両方の作用を行うように構成された座金７を介して、締付ナット５がねじ込まれる。
【００１５】
座金７は、図２に示すように、正方形の弾性を有する金属平板からなり、中心に操作部本体１の筒状部３が挿通される挿通孔７ａを備え、この挿通孔の内縁に、前記筒状部３の縦溝３ａおよび前記取付パネル１１の取付孔１１ａの切欠き１１ｂにそれぞれ嵌合する突起７ｂおよび７ｃが縦溝３ａおよび切欠き１１ｂと同じ個数設けられる。そして、正方形の平板の四隅の角部に、この部分を同じ方向に僅かに折り曲げ、外縁端部を取付パネル１１側へ傾斜させて、中央部の平面より前へ出された押圧部７ｄが形成されている（図２（ｂ）参照）。
【００１６】
このように構成された座金７を介して、筒状部３上で締付ナット５を取付パネル１１側へねじ込んで操作部本体１のフランジ２と締付ナット５により図３および図４に示すようにパネル１１を締付けることにより操作部本体１が取付パネル１１に締付け固定される。
【００１７】
このとき、座金７の突起７ｂおよび７ｃが、それぞれ操作部本体１の筒状部３の縦溝
３ａおよび取付パネル１１の取付孔１１ａの切欠き１１ｂに嵌合するので、座金７が、取付パネル１１に回り止めされ、操作部本体１が座金７に回り止めされるので、操作部本体１を捻回操作しても、操作スイッチは、取付パネル１１に対して回転することなく安定に固定されるようになる。
【００１８】
このような操作スイッチの取付状態において、座金７の四隅に形成された押圧部７ｄは、図４および図５に示すように、僅かに取付パネル１１側へ傾斜され、前へ出されているので、この押圧部７ｄの外縁部が取付パネル１１に接触し、中央の平面部分が、取付パネル１１から離間した状態となる。締付ナット５がこの座金７の中央部を締め付けると、この座金７が弾性変形し、その弾性力で取付パネル１１を操作部本体１のフランジ２に押し付けて、操作部本体１を取付パネル１１に固定するようになる。この座金７の弾性力の反力が締付ナット５に加わる。したがって、締付ナット５は締付状態において、振動等の外力を受けても緩むことなく安定した締付力で、操作スイッチの操作部本体１を取付パネルに１１に締付けることができる。
【００１９】
このように、この発明においては、座金７に回り止め用の突起以外に、外縁部を取付パネル側に僅かに傾斜させた押圧部を設けているので、締付ナットの締付時にこの座金７の外縁部が取付パネルに当接し、中央部が取付パネルから離間されるようになり、ばね座金の機能を発揮し、座金７が、回り止め作用とともに、締付ナットの緩み止め作用を行うようになることにより、この座金１個で、操作スイッチの回り止めおよび締付ナットの緩み止めを行うことができるため、取付装置の構成が簡単となる。
【００２０】
この発明における、座金７は、図示するように正方形でなくとも適宜の多角形であってもよい。
【００２１】
また、座金７は、図６に示すように円形に形成してもよい。円形である場合は、円形の平板の外周縁部を一方の面側へ傾斜させて、皿状にし、全外周縁を中央部の平面より前へ出して押圧部とするのである。これにより、座金７が皿バネと同等の機能を発揮する。当然中央部に設けた挿通孔７ａの内縁に、操作部本体１の筒状部の縦溝３ａおよび取付パネル１１の取付孔１１ａの内縁の切欠き１１ｂに嵌合する突起７ｂおよび７ｃが設けられる。この円形の座金は、正方形の座金と全く同様に使用することができる。
【図面の簡単な説明】
【００２２】
【図１】この発明の実施例を示す分解斜視図。
【図２】この発明に使用する座金を示すもので（ａ）は斜視図、（ｂ）は平面図。
【図３】この発明の実施例を示す斜視図。
【図４】この発明の実施例を示す平面図。
【図５】図４におけるＡ部を拡大して示す平面図。
【図６】この発明に使用する他の形状の座金を示す斜視図。
【図７】従来装置を示す平面図。
【図８】従来装置に使用される座金の斜視図。
【図９】従来装置の取り付け状態の縦断面図。
【符号の説明】
【００２３】
１：操作スイッチの操作部本体
２：フランジ
３：筒状部
５：締付ナット
７：座金
７ａ：挿通孔
７ｂ：突起
７ｃ：突起
７ｄ：押圧部
１０：スイッチ部
１１：取付パネル
【図１】
2008108537.tif 000003
【図２】
2008108537.tif 000004
【図３】
2008108537.tif 000005
【図４】
2008108537.tif 000006
【図５】
2008108537.tif 000007
【図６】
2008108537.tif 000008
【図７】
2008108537.tif 000009
【図８】
2008108537.tif 000010
【図９】
2008108537.tif 000011